(57)【要約】【課題】商品の入った包装袋を開封する際に開封口が簡易かつきれいに切り裂ける商品包装袋を得る。【解決手段】長方形の重合熱可塑性樹脂製フイルムの４周辺を封鎖してなる袋であって、該長方形の周辺の一つ以上が熱溶着されてなり、表面又は裏面フイルムに一面を横切るミシン目があり該ミシン目上に粘着テープが貼着されたことを特徴とする商品包装袋及び商品包装体、並びにこれらの商品包装袋及び商品包装体に用いる商品包装袋用原反。【選択図】図２
2011152936.tif 000002
【特許請求の範囲】
【請求項１】
長尺帯状熱可塑性樹脂製フイルムの長手方向に沿ってミシン目があり、該ミシン目線上に粘着テープが貼着されてなることを特徴とする商品包装袋用原反。
【請求項２】
商品包装袋用原反の粘着テープ貼着面側のみに金属蒸着処理がされた長尺帯状熱可塑性樹脂製フイルムであることを特徴とする請求項１記載の商品包装袋用原反。
【請求項３】
長方形の重合熱可塑性樹脂製フイルムの４周辺を封鎖してなる袋であって、該長方形の周辺の一つ以上が熱溶着されてなり、表面又は裏面フイルムに一面を横切るミシン目があり該ミシン目上に粘着テープが貼着されたことを特徴とする商品包装袋。
【請求項４】
商品包装袋用原反の粘着テープ貼着面側のみに金属蒸着処理がされた熱可塑性樹脂製フイルムであることを特徴とする請求項３記載の商品包装袋。
【請求項５】
請求項１又は２記載の原反をピロー方式の自動包装工程に送り出して形成した三方シール袋に商品を収納したことを特徴とする商品包装体。
【請求項６】
商品包装袋用原反の粘着テープ貼着面側のみに金属蒸着処理がされた熱可塑性樹脂製フイルムであることを特徴とする請求項５記載の商品包装体。
【発明の詳細な説明】
【技術分野】
【０００１】
本発明は、商品包装袋用原反と商品包装袋及び商品包装体に関する。さらに詳しくは、長尺帯状フイルムの長手方向に沿ってミシン目があり該ミシン目線上に粘着テープが貼着された熱可塑性樹脂製フイルムからなる簡易開封ができる構造を有する商品包装袋用の原反と該商品包装袋用原反を用いた簡易開封が可能な商品包装袋及び商品包装体に関する。
【背景技術】
【０００２】
従来より、商品包装袋の包装体として、食品、菓子類及び日用品等の消耗品が販売されている。特に、インスタントラーメン、乾麺などの湿度を嫌う乾燥食品等や、袋毎加熱調理するレトルト食品、袋毎又は袋から取り出して加熱調理する冷凍餃子、冷凍シュウマイなどの冷凍食品等に広く使用されている。
熱可塑性樹脂製フイルムで製造された商品包装袋を開封するためには熱可塑性樹脂製フイルムは素手では容易に破れないのでハサミ等の道具を用いる必要がある。そこで、手で容易に開封することを可能にするため、該商品包装袋の端に開封するための切れ込みを設ける方法があるが、この切れ込みを設ける方法は開封方向が安定しないため、きれいに開封することが困難である。また、きれいに開封するために、開封部分にミシン目を設ける方法がある。これは該ミシン目により商品包装袋に穴が開き内部と外部が通じてしまうため密封性が悪くなる。そして、特開２００９−１３１０号公報（特許文献１）に、密封性を保持するためにミシン目を設けたフイルムに別のフイルムを積層した包装袋が開示されている。しかし、その積層された別のフイルム自体を引き裂く必要がある点で、ミシン目が設けられていない袋と開封容易性はあまり変わらず、積層フイルムを極薄にすると、今度は、袋体のフイルム強度に問題が生じ、包装が破損し易くなる。
【先行技術文献】
【特許文献】
【０００３】
【特許文献１】特開２００９−１３１０号公報
【発明の概要】
【発明が解決しようとする課題】
【０００４】
従来、商品包装袋を端部から切り裂いて開封する際に該商品包装袋の開封開始部分に図７に示すような切り口Ｖがあり、該切り口から切り裂く場合には切り裂ける方向が不確定であるため直線的にきれいに開封することが難しい。
そこで、図８に示すように開封口に沿って袋体面を横切るミシン目状切れ目Ｗの大きな開口部を設けることが考えられるが、包装体の取り扱い時に、多少の応力が係ると、ミシン目の切れ目から破れ易い欠陥があり、また、ミシン目の孔から空気が漏れて、包装体の密封性が悪くなる。
本発明は、容易開封性及び密封性が良好な商品包装袋及び商品包装体及び該包装袋及び該包装体の連続製造工程に用いるに適した長尺帯状熱可塑性樹脂製フイルム原反を提供することを目的とする。
【課題を解決するための手段】
【０００５】
本発明者らは、袋体面を横切るミシン目の開口部によって、簡単に、大きく開封できる開口部として、該ミシン目状切れ目Ｗ上に粘着テープを貼り付けることで、ミシン目の問題点である破れ易さ及び密封性が悪くなる点を解消することができることを見出し、この知見に基づき本発明を完成するに至った。
そして、当該容易開封性及び密封性が良好な商品包装袋及び商品包装体の連続的に製造する場合に、長尺の帯状熱可塑性樹脂製フイルム原反として、帯状熱可塑性樹脂製フイルム原反の長手方向に平行にミシン目線を設け、該ミシン目線上に粘着テープを貼着した原反を用いることによって、通常の公知の袋体又は包装体の連続製造方法工程に、長尺の帯状原反フイルムに代えて、そのまま使用することができる利点、粘着テープがミシン目の強度補強と密封性を確保する利点並びに粘着テープの粘着剤層が、袋体の連続製造の溶着工程において、粘着テープと袋体フイルムの間の溶着の溶着阻害剤として作用して半溶着部を形成し、開封時に粘着テープが剥がし易くなる利点に、着目して該ミシン目付き帯状熱可塑性樹脂製フイルム原反を提供するに至った。
すなわち、本発明は、
（１）長尺帯状熱可塑性樹脂製フイルムの長手方向に沿ってミシン目があり、該ミシン目線上に粘着テープが貼着されてなることを特徴とする商品包装袋用原反、
（２）商品包装袋用原反の粘着テープ貼着面側のみに金属蒸着処理がされた長尺帯状熱可塑性樹脂製フイルムであることを特徴とする第１項記載の商品包装袋用原反、
（３）長方形の重合熱可塑性樹脂製フイルムの４周辺を封鎖してなる袋であって、該長方形の周辺の一つ以上が熱溶着されてなり、表面又は裏面フイルムに一面を横切るミシン目があり該ミシン目上に粘着テープが貼着されたことを特徴とする商品包装袋、
（４）商品包装袋用原反の粘着テープ貼着面側のみに金属蒸着処理がされた熱可塑性樹脂製フイルムであることを特徴とする第３項記載の商品包装袋、
（５）第１項又は第２項記載の原反をピロー方式の自動包装工程に送り出して形成した三方シール袋に商品を収納したことを特徴とする商品包装体、及び、
（６）商品包装袋用原反の粘着テープ貼着面側のみに金属蒸着処理がされた熱可塑性樹脂製フイルムであることを特徴とする第５項記載の商品包装体、
を提供するものである。
【発明の効果】
【０００６】
本発明による商品包装袋用原反を用いると簡易開封が可能な商品包装袋及び商品包装体を製造することができる。
また、本発明による商品包装袋及び商品包装体は、本発明の商品包装袋用原反を用いて、簡単に連続製造工程によって製造でき、粘着テープをミシン目線上に貼着することによって、ミシン目線の欠点である、破れ易さ及び密封性の悪さを同時に解決することができる。
例えば、冷凍食品を収納した商品包装袋の包装体の場合、まず、粘着テープを剥がしてから、蒸気破裂を防止するためにミシン目の一部を指又は箸等で突いて破り、電子レンジにかけて加熱調理する。加熱が終了したときに、袋体毎取り出して、ミシン目の開口部を全開して、内容物を簡単に食器に取り出すことができる。
本発明の包装体は、冷凍食品等の電子レンジで加熱調理する食品の包装体に特に好適である。
【図面の簡単な説明】
【０００７】
【図１】本発明の商品包装袋用原反の一態様のロール巻き状態の斜視図である。
【図２】本発明の商品包装袋の一態様の正面図である。
【図３】本発明の商品包装袋の図２の態様の断面図である。
【図４】本発明の商品包装袋の一態様の正面図である。
【図５】本発明の商品包装袋の一態様の正面図である。
【図６】本発明の商品包装体の一態様の斜視図である。
【図７】商品包装袋の開封手段の参考例の正面図である。
【図８】商品包装袋の開封手段の参考例の正面図である。
【発明を実施するための形態】
【０００８】
以下、本発明における実施形態例を図面に従って説明する。
図１は、本発明における商品包装袋用原反をロール巻きにした態様の斜視図である。該商品包装袋用原反Ａは、長尺帯状フイルムである熱可塑性樹脂製フイルムＢの長手方向に沿ってミシン目Ｃが設けられている。該ミシン目は熱可塑性樹脂製フイルムＢを用いて製造した包装体の開封時にミシン目から切り裂けるようになっていれば良く、該ミシン目の切れ目の形状、ミシン目の長さ及び間隔は、フイルムの厚さ及び袋体の大きさに応じて適宜設計することができる。図１のミシン目Ｃが設けられている位置は長尺帯状の熱可塑性樹脂製フイルムＢの中央部で長手方向に沿って設けられているが、商品包装袋の設計に応じて熱可塑性樹脂製フイルムＢの端部付近に設けることもできる。図１の商品包装袋用原反Ａは、長尺帯状熱可塑性樹脂製フイルムを、ミシン目加工台に送り出し、ミシン目を設けた直後に、ミシン目線上に、長尺の粘着テープを連続的に送り出しながら、貼着して製造することができる。長尺の粘着テープは、剥離紙テープ付き粘着テープから剥離紙テープを剥がしながら、ミシン目線上に連続的に貼着することができる。
粘着テープＤは熱可塑性樹脂製フイルムＢに設けられている該ミシン目Ｃを中心にして貼着されている。
該粘着テープＤは幅１〜３ｃｍ程度のフイルムに粘着剤が塗布されたものを使用することができる。該粘着テープＤは粘着剤がフイルムの全幅面に塗布されたものを使用することができる。また、該フイルムの少なくとも一側端部の１〜２ｍｍに粘着剤が塗布されていないものも使用することができる。この場合は該粘着テープＤの側端部から容易に剥がすことができる利点がある。
本発明に用いる熱可塑性樹脂製フイルムＢは熱可塑性樹脂フイルムであれば、特に制限なく使用できるが、例えばポリプロピレン系樹脂、ポリエチレン系樹脂、エチレン酢酸ビニル共重合体、スチレン−ブチレン共重合体、アクリル系樹脂、ナイロン、ＰＥＴ等の樹脂フイルム及びこれらの樹脂フイルムのラミネートフイルムを好適に使用することができる。
特に印刷特性の良いフイルム、例えばポリプロピレンフイルムと裏面にヒートシール性の良いフイルム、例えば低融点のポリエチレンフイルムをラミネートした積層フイルムは本発明の熱可塑性樹脂製フイルムＢとして商品包装袋又は包装体を連続的に製造する場合に加工し易い利点があるので好適なラミネートフイルムである。
本発明の熱可塑性樹脂製フイルムＢの厚さは３０〜２００μｍ程度のものを適宜用いることができる。
粘着テープＤは熱可塑性樹脂製であれば良く、例えば本発明の粘着テープは、熱可塑性樹脂フイルムに粘着剤を塗布したものを、特に制限なく用いることができる。この場合、商品包装袋又は商品包装体の連続製造工程において、粘着テープが熱可塑性樹脂製フイルムＢに強く溶着しすぎないために熱可塑性樹脂製フイルムＢと異なる樹脂フイルムを用いることができる。例えば、表面フイルムとして、印刷性の良いポリプロピレンフイルムを用い、これに裏面印刷をして、薄いポリエチレンフイルムを印刷層を挟んで裏面にラミネートして、ヒートシール性を付与したものを好適に用いることができる。
【０００９】
図２は、本発明の商品包装袋の一態様の正面図である。図３は、図２の商品包装袋の断面図である。
図２、図３の商品包装袋の上縁Ｅ及び両側縁Ｇは、一定の幅で熱溶着されている。該商品包装袋用原反Ａを折り返して重ねる場合は折り返す部分の熱溶着をしないで使用することができる。
該商品包装袋は、長尺帯状の熱可塑性樹脂製フイルムＢの表面側フイルムの中心から外れた線状に、ミシン目Ｃが設けられている。そして、該ミシン目Ｃ上に粘着テープＤが貼着されている。粘着テープＤは粘着テープ用フイルムＫに粘着剤Ｌが塗布されている。
図２、図３の商品包装袋は、本発明の長尺帯状の熱可塑性樹脂製フイルムＢを表面側フイルムに、粘着テープＤが貼着されるように重合して、これを熱溶着工程及び切断工程に送り出して、上縁及び両側縁を熱溶着して下縁を切断して連続的に製造することができる。
図２、図３の商品包装袋は上縁Ｅ及び両側縁Ｇの３側縁が熱溶着されていて、下縁は商品を収納するため開放している。商品を下縁Ｆから商品収納部Ｈに挿入し、下縁Ｆを熱溶着又は粘着剤付き封口片若しくは粘着テープによって封口して密封することができる。
図２の商品包装袋は、下縁から商品を収納した後に、下縁を熱溶着によって封鎖するか、封口片を設けて、粘着剤で封口する常用の封口手段によって商品を収納した商品包装体とすることができる。図２の商品包装袋を長尺帯状の熱可塑性樹脂製フイルムＢを用いて製造すると、図２の上縁の熱溶着部分には、粘着テープの上端が同時に熱溶着されている。この部分の積層は、熱可塑性樹脂製フイルムＢ／粘着剤Ｌの層／粘着テープ用フイルムＫの積層構造となり、この部分の熱溶着には、粘着剤層が２枚の熱可塑性樹脂フイルムの間に介在している。そのため、熱溶着の際に、粘着剤層が熱溶着阻害作用を発揮して、２枚の熱可塑性樹脂フイルムの熱溶着を阻害して半溶着状態となっているので、商品包装袋を開封するときに、粘着テープＤを、袋体の上縁からも剥がし易くなっている。仮に、粘着剤層が存在しない場合は、熱溶着によって強固に接合するので、テープを引きちぎっても剥がれることはない。
図２の側縁Ｇを、商品包装袋用原反Ａを折り返して重ねて、袋体の封鎖縁とする場合は、袋体の長方形の周辺の一つが熱溶着されている態様となる。この態様の袋体は、筒型の長尺帯状の熱可塑性樹脂製フイルムＢを用いた場合に連続製造することができる。袋体の長方形の周辺の二つが熱溶着されている態様は、帯状フイルムを中央で連続的にガゼット工程で半折して長尺の帯状を重合して、重合フイルムの遊離側縁側を連続的にヒートシール、溶断、又は熱圧着して、溶着することによって、製造することができる。
本発明の商品包装袋は、商品収納のために開口辺を開放しているので、袋体の長方形の周辺の１〜３辺が熱溶着されている態様となる。
【００１０】
該商品包装袋用原反Ａの長尺帯状の熱可塑性樹脂製フイルムを粘着テープ貼着面側のみに金属蒸着処理がされた長尺帯状の熱可塑性樹脂製フイルムとすることができる。この場合には、上記の熱溶着部分での粘着テープの熱溶着なく、粘着テープの剥がしがさらに容易になる。
図２の商品包装袋は、袋体の両側縁又は上縁を熱溶着で封鎖しているが、一定幅の熱溶着でなくとも、単にフイルムを折り曲げた折り目による封鎖又は熱溶断による封鎖にすることもできる。
【００１１】
図４は、本発明の別の態様の商品包装袋の一態様の正面図を示す。
該粘着テープＤが、熱可塑性樹脂製フイルムＢのミシン目Ｃの上に重なって貼着している。ミシン目の方向が袋体の開口部に対して、水平方向である以外は、図２の商品包装袋と同一である。
【００１２】
図５は、本発明の商品包装袋の一態様の正面図を示す。図５は、図６のピロー式包装体の収納商品を削除して、袋体部のみの形状を示す正面図である。
商品包装袋用原反Ａをピロー方式自動包装工程に送り出して、連続的に商品を収納した袋詰め包装体を製造することができる。
本発明商品包装袋用原反Ａを用いるピロー方式自動包装工程では、連続的に供給される商品包装袋用原反Ａの下縁Ｆ部分を熱溶着した商品包装袋用原反Ａの側縁を溶着して、袋体中央部の商品包装袋用原反Ａの長手方向に沿った側縁を併せた熱溶着部Ｎを作りながら形成された筒状フイルム部分に商品を充填して、上縁Ｅを熱溶着することで図６のような商品包装体とすることができる。
該簡易開封部Ｊの位置は商品収納部に面していれば良く、包装体の表又は裏の商品包装袋用原反Ａの長手方向に沿って、袋体の１面を上から下まで横切って、包装体の側縁の平行線上に設けることができる。
【００１３】
図６は、本発明のピロー式商品包装体の一態様の斜視図を示す。
商品包装体に設けられている該簡易開封部Ｊの粘着テープＤを剥がし、ミシン目Ｃを破ることで簡易かつ、開封口を袋体面一杯にきれいに開封することができる。
【産業上の利用可能性】
【００１４】
本発明による商品包装袋及び商品包装体に収納する内容物には、特に制限はなく、菓子類等の食品、日用品等の消耗品、インスタントラーメン、乾麺などの湿度を嫌う乾燥食品等や、袋毎加熱調理するレトルト食品、袋毎又は袋から取り出して加熱調理する冷凍餃子、冷凍シュウマイなどの冷凍食品等の分野に広く利用することができる。
本発明に係る商品包装袋用原反は、簡易開封することができる商品包装袋を常用の連続製袋工程を用いて、容易に製造することができる。またピロー方式で容易に商品包装体の原反としてもそのまま使用することができる。
【符号の説明】
【００１５】
Ａ  商品包装袋用原反
Ｂ  熱可塑性樹脂製フイルム
Ｃ  ミシン目
Ｄ  粘着テープ
Ｅ  上縁
Ｆ  下縁
Ｇ  側縁
Ｈ  商品収納部
Ｊ  簡易開封部
Ｋ  粘着テープ用フイルム
Ｌ  粘着剤
Ｎ  側縁を併せた熱溶着部
Ｖ  切り口
Ｗ  ミシン目状切れ目
【図１】
2011152936.tif 000003
【図２】
2011152936.tif 000004
【図３】
2011152936.tif 000005
【図４】
2011152936.tif 000006
【図５】
2011152936.tif 000007
【図６】
2011152936.tif 000008
【図７】
2011152936.tif 000009
【図８】
2011152936.tif 000010